(57)【要約】【課題】監視機能を大幅に向上させることができる保護継電装置を提供する。【解決手段】単母線の電力系統において使用される第１の送電線保護継電装置１０1は、監視機能を備えた第１の装置監視回路５０1を具備する。第１の装置監視回路５０1は、甲母線から分岐された第１の回線１Ｌの第１の遮断器３1よりも甲母線側に設置された第１の母線側断路器１1が切状態であるか甲母線の電圧が閾値以下であると第１の回線１Ｌが停電であると判定する第１の停電検出回路５３1と、第１の停電検出回路５３1によって第１の回線１Ｌが停電であると判定されると零アンペア制御処理を行う第１の零アンペア制御回路５６1とを備える。【選択図】図２
2008161009.tif 000002
【特許請求の範囲】
【請求項１】
電力系統に使用される保護継電装置であって、
母線から分岐された回線に設置された遮断器よりも該母線側に設置された母線側断路器の状態と該母線の電圧とに基づいて該回線が停電であるか否かを判定する判定手段と、
該判定手段によって前記回線が停電であると判定されると零アンペア制御処理を行う零アンペア制御手段と、
を具備することを特徴とする、保護継電装置。
【請求項２】
外部装置不良検出信号が外部から入力されると前記保護継電装置に対して装置ロック処理を行う装置ロック手段と、
前記判定手段によって前記回線が停電であると判定されると、前記装置ロック手段における前記外部装置不良検出信号に基づく装置ロック処理を禁止させる装置ロック処理禁止手段と、
をさらに具備することを特徴とする、請求項１記載の保護継電装置。
【請求項３】
前記遮断器の状態と該遮断器の前記母線と反対側に設置された回線側断路器の状態と前記母線側断路器の状態と前記母線の電圧とに基づいて休止端条件を検出すると、休止端条件を検出した旨を示す情報を前記回線の対向端子に設置された対向端保護継電装置に送信することを特徴とする、請求項１または２記載の保護継電装置。
【請求項４】
前記回線側断路器の切状態が、前記回線が停電であるか否かを前記判定手段が判定する際の条件にされていないことを特徴とする、請求項１乃至３いずれかに記載の保護継電装置。
【請求項５】
単母線の電力系統において使用される保護継電装置（１０1〜１０4）であって、
該保護継電装置の監視機能を備えた装置監視回路（５０1〜５０4；６０1〜６０4）を具備し、
該装置監視回路が、
母線から分岐された回線（１Ｌ〜４Ｌ）の遮断器（３1〜３4）よりも該母線側に設置された母線側断路器（１1〜１4）が切状態であるか該母線の電圧が閾値以下であると該回線が停電であると判定する停電検出回路（５３1〜５３4；６３1〜６３4）と、
該停電検出回路によって前記回線が停電であると判定されると零アンペア制御処理を行う零アンペア制御回路（５６1〜５６4；６６1〜６６4）とを備える、
ことを特徴とする、保護継電装置。
【請求項６】
前記装置監視回路が、
外部装置不良検出信号（ＳD1〜ＳD4）が外部から入力されると前記保護継電装置に対して装置ロック処理を行う装置ロック回路（５２1〜５２4；６２1〜６２4）と、
前記停電検出回路の出力信号の極性を反転するインバータ回路（５４1〜５４4；６４1〜６４4）と、
前記外部装置不良検出信号と前記インバータ回路の出力信号との論理積をとる論理積回路（５５1〜５５4；６５1〜６５4）とをさらに備え、
該論理積回路の出力信号に応じて前記装置ロック回路における前記外部装置不良検出信号に基づく装置ロック処理を禁止させる、
ことを特徴とする、請求項５記載の保護継電装置。
【請求項７】
前記装置監視回路が、
前記遮断器が切状態であるか前記回線の該遮断器の前記母線と反対側に設置された回線側断路器（２1〜２4）が切状態であると、休止端条件を検出した旨を示す出力信号を出力する休止端条件検出回路（６７1〜６７4）と、
前記停電検出回路の出力信号と前記休止端条件検出回路の出力信号との論理和をとる論理和回路（６８1〜６８4）と、
該論理和回路の出力信号に応じて休止端条件を検出した旨を示す情報を作成して、該作成した情報を表わす自端情報信号（ＳLP1〜ＳLP 4）を前記回線の対向端子に設置された対向端保護継電装置に送信する情報送信回路（６９1〜６９4）とをさらに備える、
ことを特徴とする、請求項５または６記載の保護継電装置。
【請求項８】
２重母線の電力系統において使用される保護継電装置（１１０1〜１１０4）であって、
該保護継電装置の監視機能を備えた装置監視回路（１５０1〜１５０4；１６０1〜１６０4）を具備し、
該装置監視回路が、
回線（１Ｌ〜４Ｌ）の遮断器（３1〜３4）よりも第１の母線側に設置された第１の母線側断路器（１1a〜１4a）が切状態でありかつ該回線の該遮断器よりも第２の母線側に設置された第２の母線側断路器（１1b〜１4b）が切状態あるか、該第１の母線の電圧および該第２の母線の電圧が両方とも閾値以下であるか、該第２の母線側断路器が切状態でありかつ該第１の母線の電圧が閾値以下であるか、該第１の母線側断路器が切状態でありかつ該第２の母線の電圧が閾値以下であると、該回線が停電であると判定する停電検出回路（１５３1〜１５３4；１６３1〜１６３4）と、
該停電検出回路によって前記回線が停電であると判定されると零アンペア制御処理を行う零アンペア制御回路（１５６1〜１５６4；１６６1〜１６６4）とを備える、
ことを特徴とする、保護継電装置。
【請求項９】
前記装置監視回路が、
外部装置不良検出信号（ＳD1〜ＳD4）が外部から入力されると前記保護継電装置に対して装置ロック処理を行う装置ロック回路（１５２1〜１５２4；１６２1〜１６２4）と、
前記停電検出回路の出力信号の極性を反転するインバータ回路（１５４1〜１５４4；１６４1〜１６４4）と、
前記外部装置不良検出信号と前記インバータ回路の出力信号との論理積をとる論理積回路（１５５1〜１５５4；１６５1〜１６５4）とをさらに備え、
該論理積回路の出力信号に応じて前記装置ロック回路における装置ロック処理を禁止させる、
ことを特徴とする、請求項８記載の保護継電装置。
【請求項１０】
前記装置監視回路が、
前記遮断器が切状態であるか前記回線の該遮断器の前記第１および第２の母線と反対側に設置された回線側断路器（２1〜２4）が切状態であると、休止端条件を検出した旨を示す出力信号を出力する休止端条件検出回路（１６７1〜１６７4）と、
前記停電検出回路の出力信号と前記休止端条件検出回路の出力信号との論理和をとる論理和回路（１６８1〜１６８4）と、
該論理和回路の出力信号に応じて休止端条件を検出した旨を示す情報を作成して、該作成した情報を表わす自端情報信号（ＳLP1〜ＳLP 4）を前記回線の対向端子に設置された対向端保護継電装置に送信する情報送信回路（１６９1〜１６９4）とをさらに備える、
ことを特徴とする、請求項８または９記載の保護継電装置。
【発明の詳細な説明】
【技術分野】
【０００１】
本発明は、保護継電装置に関し、特に、監視機能を備えた保護継電装置に関する。
【背景技術】
【０００２】
電力系統に使用されている保護継電装置のディジタル化に伴い、その信頼度を維持向上させるために種々の監視機能が開発されている。
【０００３】
たとえば、図９に示すような単母線の電力系統では、甲母線から分岐された第１および第２の回線１Ｌ，２Ｌにそれぞれ設置された第１および第２の送電線保護継電装置（ＬＰ）２１０1，２１０2と、甲母線と第５の遮断器３5を介して接続された乙母線から分岐された第３および第４の回線３Ｌ，４Ｌにそれぞれ設置された第３および第４の送電線保護継電装置（ＬＰ）２１０3，２１０4とは、Ｃｒ方式による休止端制御に基づいて、表１に示す休止端条件を自端子で検出した場合には、第１乃至第４の回線１Ｌ〜４Ｌの対向端子にそれぞれ設置された第１乃至第４の対向端送電線保護継電装置（不図示）にその情報を送信する。
【表１】
2008161009.tif 000003
【０００４】
第１乃至第４の対向端送電線保護継電装置では、送信されてきた情報に基づいて第１乃至第４の回線１Ｌ〜４Ｌの自端子が切り離されたものと判定して、零アンペア制御処理（電流値を強制的に零として扱う処理）を行うともに装置ロック（伝送監視のロック）を行う。
【０００５】
なお、下記の特許文献１には、負荷の平衡および不平衡にかかわらずに不良検出精度および不良検出感度の向上を図るために、電力系統の３相のアナログ電流信号から取り出したディジタル変換された同時系列の３相入力電流データのうち、それぞれ２相の組合せによる合成電流データの絶対値と残りの１相の電流データの絶対値との差を求める第１乃至第３の差電流算出手段と、これら算出された差電流の中から最大差電流を検出する最大差電流検出手段と、この最大差電流と判定値とを比較して入力回路系不良を判定する不良判定手段とからなる第１の不良検出系と、ディジタル変換された同時系列各相入力電流データの合成値を算出する合成値算出手段と、この合成値と判定値とを比較して入力回路系不良を判定する不良判定手段とからなる、保護継電装置の入力回路系常時監視方式が開示されている。
【０００６】
また、下記の特許文献２には、平常運用時にＣＴ回路不良が発生した場合に不良検出を高速に行って保護装置の動作出力を制御することにより差動保護リレーの不要動作を防止するために、電力系統の変圧器、送電線または母線などの保護対象を各端子に設置されたＣＴ（電流変成器）の二次電流情報を入力して電流差動方式により保護する保護継電装置において、端子毎に三相電流の平衡を検出する回路と、端子毎に三相電流の不平衡を検出する回路と、系統の平常運用以外の事象を検出する回路と、相ごとの各端子電流のベクトル和が所定値以上になったことを検出する差電流検出回路と、各端子のうち少なくとも１端子の三相電流の平衡が検出され、各端子のうち少なくとも１端子の三相電流の不平衡が検出され、かつ、各端子とも系統の平常運用以外の事象が検出されず、各端子電流のベクトル和が所定値以上であることが検出されたことを条件にＣＴ二次回路の不良と判定する保護継電装置が開示されている。
【特許文献１】特開平６−２７６６５７号公報
【特許文献２】特開２００５−３９９５６号公報
【発明の開示】
【発明が解決しようとする課題】
【０００７】
しかしながら、保護継電装置の監視機能は向上しているが、運用面での配慮が十分になされていないという問題がある。
【０００８】
たとえば、図９に示したような単母線の電力系統において、第３の回線３Ｌに設置されている第３の遮断器３3の点検作業を行う際には、第３の母線側断路器（ＢＬＳ）１3および第３の回線側断路器（ＬＬＳ）２3を切状態にして第３の回線３Ｌの一点鎖線で囲った区間を停電状態にするとともに、第３の遮断器３3を挟んで作業用の第１および第２の乙アース６1，６を取り付けている。そのため、作業中に第３の遮断器３3が入状態になると、電磁誘導による循環電流Ｉcが破線の矢印で示すように第１および第２の乙アース６1，６2を介して流れることにより、第３の回線３Ｌが停電状態にされているにもかかわらず、第３の遮断器３3の両端にそれぞれ設置された第５および第６の計器用変流器４5，４6を介して第３の送電線保護継電装置２１０3および母線保護継電装置（ＢＰ）２２０に不要な電流が入力される。
【０００９】
第３の遮断器３3を点検する場合には、このような不要な電流が入力されても第３の回線側断路器２3が切状態になっているために問題はない（表１のパターン２が成立）が、図１０に示すように第３の母線側断路器１3、第３の遮断器３3および第３の回線側断路器２3を同時に点検する場合には、第３の遮断器３3および第３の回線側断路器２3が入状態となるために、第３の送電線保護継電装置２１０3は自端子の休止端条件を検出することができなくなる（表１のパターン１およびパターン２の両方とも不成立）という問題がある。
【００１０】
本発明の目的は、監視機能を大幅に向上させることができる保護継電装置を提供することにある。
【課題を解決するための手段】
【００１１】
本発明の保護継電装置は、電力系統に使用される保護継電装置であって、母線から分岐された回線に設置された遮断器よりも該母線側に設置された母線側断路器の状態と該母線の電圧とに基づいて該回線が停電であるか否かを判定する判定手段と、該判定手段によって前記回線が停電であると判定されると零アンペア制御処理を行う零アンペア制御手段とを具備することを特徴とする。
ここで、外部装置不良検出信号が外部から入力されると前記保護継電装置に対して装置ロック処理を行う装置ロック手段と、前記判定手段によって前記回線が停電であると判定されると、前記装置ロック手段における前記外部装置不良検出信号に基づく装置ロック処理を禁止させる装置ロック処理禁止手段とをさらに具備してもよい。
前記遮断器の状態と該遮断器の前記母線と反対側に設置された回線側断路器の状態と前記母線側断路器の状態と前記母線の電圧とに基づいて休止端条件を検出すると、休止端条件を検出した旨を示す情報を前記回線の対向端子に設置された対向端保護継電装置に送信してもよい。
前記回線側断路器の切状態が、前記回線が停電であるか否かを前記判定手段が判定する際の条件にされていなくてもよい。
また、本発明の保護継電装置は、単母線の電力系統において使用される保護継電装置（１０1〜１０4）であって、該保護継電装置の監視機能を備えた装置監視回路（５０1〜５０4；６０1〜６０4）を具備し、該装置監視回路が、母線から分岐された回線（１Ｌ〜４Ｌ）の遮断器（３1〜３4）よりも該母線側に設置された母線側断路器（１1〜１4）が切状態であるか該母線の電圧が閾値以下であると該回線が停電であると判定する停電検出回路（５３1〜５３4；６３1〜６３4）と、該停電検出回路によって前記回線が停電であると判定されると零アンペア制御処理を行う零アンペア制御回路（５６1〜５６4；６６1〜６６4）とを備えることを特徴とする。
ここで、前記装置監視回路が、外部装置不良検出信号（ＳD1〜ＳD4）が外部から入力されると前記保護継電装置に対して装置ロック処理を行う装置ロック回路（５２1〜５２4；６２1〜６２4）と、前記停電検出回路の出力信号の極性を反転するインバータ回路（５４1〜５４4；６４1〜６４4）と、前記外部装置不良検出信号と前記インバータ回路の出力信号との論理積をとる論理積回路（５５1〜５５4；６５1〜６５4）とをさらに備え、該論理積回路の出力信号に応じて前記装置ロック回路における前記外部装置不良検出信号に基づく装置ロック処理を禁止させてもよい。
前記装置監視回路が、前記遮断器が切状態であるか前記回線の該遮断器の前記母線と反対側に設置された回線側断路器（２1〜２4）が切状態であると、休止端条件を検出した旨を示す出力信号を出力する休止端条件検出回路（６７1〜６７4）と、前記停電検出回路の出力信号と前記休止端条件検出回路の出力信号との論理和をとる論理和回路（６８1〜６８4）と、該論理和回路の出力信号に応じて休止端条件を検出した旨を示す情報を作成して、該作成した情報を表わす自端情報信号（ＳLP1〜ＳLP 4）を前記回線の対向端子に設置された対向端保護継電装置に送信する情報送信回路（６９1〜６９4）とをさらに備えてもよい。
さらに、本発明の保護継電装置は、２重母線の電力系統において使用される保護継電装置（１１０1〜１１０4）であって、該保護継電装置の監視機能を備えた装置監視回路（１５０1〜１５０4；１６０1〜１６０4）を具備し、該装置監視回路が、回線（１Ｌ〜４Ｌ）の遮断器（３1〜３4）よりも第１の母線側に設置された第１の母線側断路器（１1a〜１4a）が切状態でありかつ該回線の該遮断器よりも第２の母線側に設置された第２の母線側断路器（１1b〜１4b）が切状態あるか、該第１の母線の電圧および該第２の母線の電圧が両方とも閾値以下であるか、該第２の母線側断路器が切状態でありかつ該第１の母線の電圧が閾値以下であるか、該第１の母線側断路器が切状態でありかつ該第２の母線の電圧が閾値以下であると、該回線が停電であると判定する停電検出回路（１５３1〜１５３4；１６３1〜１６３4）と、該停電検出回路によって前記回線が停電であると判定されると零アンペア制御処理を行う零アンペア制御回路（１５６1〜１５６4；１６６1〜１６６4）とを備えることを特徴とする。
ここで、前記装置監視回路が、外部装置不良検出信号（ＳD1〜ＳD4）が外部から入力されると前記保護継電装置に対して装置ロック処理を行う装置ロック回路（１５２1〜１５２4；１６２1〜１６２4）と、前記停電検出回路の出力信号の極性を反転するインバータ回路（１５４1〜１５４4；１６４1〜１６４4）と、前記外部装置不良検出信号と前記インバータ回路の出力信号との論理積をとる論理積回路（１５５1〜１５５4；１６５1〜１６５4）とをさらに備え、該論理積回路の出力信号に応じて前記装置ロック回路における装置ロック処理を禁止させてもよい。
前記装置監視回路が、前記遮断器が切状態であるか前記回線の該遮断器の前記第１および第２の母線と反対側に設置された回線側断路器（２1〜２4）が切状態であると、休止端条件を検出した旨を示す出力信号を出力する休止端条件検出回路（１６７1〜１６７4）と、前記停電検出回路の出力信号と前記休止端条件検出回路の出力信号との論理和をとる論理和回路（１６８1〜１６８4）と、該論理和回路の出力信号に応じて休止端条件を検出した旨を示す情報を作成して、該作成した情報を表わす自端情報信号（ＳLP1〜ＳLP 4）を前記回線の対向端子に設置された対向端保護継電装置に送信する情報送信回路（１６９1〜１６９4）とをさらに備えてもよい。
【発明の効果】
【００１２】
本発明の保護継電装置は、以下に示す効果を奏する。
（１）母線側断路器の状態と母線の電圧とに基づいて回線が停電であると判定されると零アンペア制御処理を行うことにより、電力機器の点検作業時に循環電流が流れても保護継電装置が誤判定や監視不良による装置ロックを防止することができるので、監視機能を大幅に向上させることができる。
（２）誤判定や監視不良による装置ロックを防止することにより、電力機器の点検作業時における電流回路切離し対策などを不要にすることができるとともに、保護継電装置の信頼性の向上を図ることができる。
（３）特に、電流差動継電方式の母線保護継電装置、対向型送電線保護継電装置および平衡２回線送電線用の一体型保護継電装置などのような複数回線を実装する保護継電装置の監視機能を更に向上させることができる。
【発明を実施するための最良の形態】
【００１３】
上記の目的を、母線から分岐された回線に設置された遮断器よりも母線側に設置された母線側断路器の状態と母線の電圧とに基づいて回線が停電であると判定されると零アンペア制御処理を行うことにより実現した。
【実施例１】
【００１４】
以下、本発明の保護継電装置の実施例について、図面を参照して説明する。
本発明の第１の実施例による保護継電装置である第１乃至第４の送電線保護継電装置１０1〜１０4および母線保護継電装置２０は、図１に示すように、単母線の電力系統において使用される。
【００１５】
ここで、第１乃至第４の送電線保護継電装置１０1〜１０4は、第１乃至第４の母線側断路器１1〜１4が切状態である（パターン１）か母線電圧（甲母線または乙母線の電圧）が閾値（たとえば、２０ボルト）以下である（パターン２）と第１乃至第４の回線１Ｌ〜４Ｌが停電であると判定して零アンペア制御処理を行う（自端判定方式）点で、図９に示した第１乃至第４の送電線保護継電装置２１０1〜２１０4と相違する。
【００１６】
すなわち、甲母線から分岐された第１の回線１Ｌに設置された第１の送電線保護継電装置１０1は、表２に示す停電検出条件に基づいて第１の回線１Ｌの停電を検出すると零アンペア制御処理を行う。
【表２】
2008161009.tif 000004
【００１７】
甲母線から分岐された第２の回線２Ｌに設置された第２の送電線保護継電装置１０2は、表３に示す停電検出条件に基づいて第２の回線２Ｌの停電を検出すると零アンペア制御処理を行う。
【表３】
2008161009.tif 000005
【００１８】
乙母線から分岐された第３の回線３Ｌに設置された第３の送電線保護継電装置１０3は、表４に示す停電検出条件に基づいて第３の回線３Ｌの停電を検出すると零アンペア制御処理を行う。
【表４】
2008161009.tif 000006
【００１９】
乙母線から分岐された第４の回線４Ｌに設置された第４の送電線保護継電装置１０4は、表５に示す停電検出条件に基づいて第４の回線４Ｌの停電を検出すると零アンペア制御処理を行う。
【表５】
2008161009.tif 000007
【００２０】
また、第１乃至第４の送電線保護継電装置１０1〜１０4は、表１から表４に示した停電検出条件に従って第１乃至第４の回線１Ｌ〜４Ｌの停電を検出すると、外部から入力される第１乃至第４の外部装置不良検出信号ＳD1〜ＳD4に基づく装置ロック処理を禁止させる点でも、図９に示した第１乃至第４の送電線保護継電装置２１０1〜２１０4と相違する。
【００２１】
そのため、第１の送電線保護継電装置１０1は、図２に示す第１の装置監視回路５０1を具備する。
第１の装置監視回路５０1は、図２に示すように、第１の装置不良検出回路５１1と、第１の装置ロック回路５２1と、第１の停電検出回路５３1と、第１のインバータ回路５４1と、第１の論理積回路５５1と、第１の零アンペア制御回路５６1とを備える。
【００２２】
第１の装置不良検出回路５１1は、第１の送電線保護継電装置１０1の不良を検出すると第１の装置不良検出信号を出力する。
第１の停電検出回路５３1は、第１の母線側断路器１1の状態（入状態または切状態）を示す第１の母線側断路器接点信号ＳBLS1と甲母線に設置された第５の計器用変成器５5（図１参照）から入力される第１の母線電圧信号ＶPD1（甲母線の母線電圧を示す。）とに基づいて表２に示した停電検出条件が満たされるか否かを判定し、停電検出条件が満たされると判定した場合にはハイレベルの出力信号を出力する。
第１のインバータ回路５４1は、第１の停電検出回路５３1の出力信号の極性を反転する。
第１の論理積回路５５1は、第１の外部装置不良検出信号ＳD1と第１のインバータ回路５４1の出力信号との論理積をとる。
第１の装置ロック回路５２1は、第１の装置不良検出回路５１1から第１の装置不良検出信号が入力されるか第１の論理積回路５５1からハイレベルの出力信号が入力されると、第１の送電線保護継電装置１０1に対する装置ロック処理を行う。なお、第１の停電検出回路５３1からハイレベルの出力信号が出力されても、第１の論理積回路５５1には第１のインバータ回路５４1によってハイレベルからロウレベルに極性が反転された第１の停電検出回路５３1の出力信号が入力されるため、第１の論理積回路５５1の出力信号はロウレベルとなる。その結果、第１の外部装置不良検出信号ＳD1が入力されても第１の論理積回路５５1の出力信号はロウレベルのままとなるので、第１の停電検出回路５３1によって停電検出条件が満たされると判定された場合には第１の装置ロック回路５２1における装置ロック処理を禁止させることができる。
第１の零アンペア制御回路５６1は、第１の停電検出回路５３1からハイレベルの出力信号が入力されると、零アンペア制御処理を行う。
【００２３】
第２乃至第４の送電線保護継電装置１０2〜１０4は、上述した第１の装置監視回路５０1と同様の構成を有する第２乃至第４の装置監視回路５０2〜５０4（不図示）をそれぞれ備える。
【００２４】
これにより、たとえば図１０に示したように第３の回線３Ｌに設置された第３の母線側断路器１3、第３の遮断器３3および第３の回線側断路器２3を同時に点検する場合に第３の遮断器３3および第３の回線側断路器２3が入状態となっても、乙母線に設置された第６の計器用変成器５6から出力される第２の母線電圧信号ＶPD2は乙母線の母線電圧が閾値以下であることを示すため、第３の送電線保護継電装置１０3が具備する第３の装置監視回路５０3の第３の停電検出回路５３3（図２参照）は表４に示したパターン２が成立すると判定してハイレベルの出力信号を出力する。その結果、第３の零アンペア制御回路５６3は零アンペア制御処理を行うので、従来の問題点を解決することができる。
【００２５】
また、たとえば図９に示したように第３の回線３Ｌに設置された第３の遮断器３3を点検する場合に第３の遮断器３3が入状態となっても、第３の母線側断路器１3は切状態であるため、第３の装置監視回路５０3の第３の停電検出回路５３3（図２参照）は表４に示したパターン１が成立すると判定してハイレベルの出力信号を出力する。その結果、第３の零アンペア制御回路５６3は零アンペア制御処理を行う。
【００２６】
なお、母線保護継電装置２０にも図２に示した第１の装置監視回路５０1と同様の構成を有する装置監視回路を具備させてもよい。
【実施例２】
【００２７】
次に、本発明の第２の実施例による保護継電装置について、図３を参照して説明する。
本実施例による保護継電装置である第１乃至第４の送電線保護継電装置（不図示）は、上述した第１乃至第４の送電線保護継電装置１０1〜１０4と同様に、単母線の電力系統において使用される。
【００２８】
ここで、本実施例による第１乃至第４の送電線保護継電装置は、以下に示す点で図９に示した第１乃至第４の送電線保護継電装置２１０1〜２１０4と相違する。
（１）第１乃至第４の母線側断路器１1〜１4が切状態である（パターン３）か母線電圧（甲母線または乙母線の電圧）が閾値（たとえば、２０ボルト）以下である（パターン４）と第１乃至第４の回線１Ｌ〜４Ｌが停電であると判定して零アンペア制御処理を行う。
（２）第１乃至第４の遮断器３1〜３4が切状態である（パターン１）か第１乃至第４の回線側断路器２1〜２4が切状態である（パターン２）という休止端条件を検出した場合のほかに上記のパターン３およびパターン４の休止端条件を検出した場合にも、第１乃至第４の回線１Ｌ〜４Ｌの対向端子にそれぞれ設置された第１乃至第４の対向端送電線保護継電装置（不図示）にその情報を送信する（Ｃｒ方式）。
【００２９】
すなわち、甲母線から分岐された第１の回線１Ｌに設置された第１の送電線保護継電装置は、表６に示す停電検出条件に基づいて第１の回線１Ｌの停電を検出すると零アンペア制御処理を行うとともに、表６に示す休止端条件を検出すると第１の対向端送電線保護継電装置にその情報を送信する。
【表６】
2008161009.tif 000008
【００３０】
甲母線から分岐された第２の回線２Ｌに設置された第２の送電線保護継電装置は、表７に示す停電検出条件に基づいて第２の回線２Ｌの停電を検出すると零アンペア制御処理を行うとともに、表７に示す休止端条件を検出すると第２の対向端送電線保護継電装置にその情報を送信する。
【表７】
2008161009.tif 000009
【００３１】
乙母線から分岐された第３の回線３Ｌに設置された第３の送電線保護継電装置は、表８に示す停電検出条件に基づいて第３の回線３Ｌの停電を検出すると零アンペア制御処理を行うとともに、表８に示す休止端条件を検出すると第３の対向端送電線保護継電装置にその情報を送信する。
【表８】
2008161009.tif 000010
【００３２】
乙母線から分岐された第４の回線４Ｌに設置された第４の送電線保護継電装置は、表９に示す停電検出条件に基づいて第４の回線４Ｌの停電を検出すると零アンペア制御処理を行うとともに、表９に示す休止端条件を検出すると第４の対向端送電線保護継電装置にその情報を送信する。
【表９】
2008161009.tif 000011
【００３３】
そのため、本実施例による第１の送電線保護継電装置は、図３に示す第１の装置監視回路６０1を具備する。
第１の装置監視回路６０1は、図３に示すように、第１の装置不良検出回路６１1と、第１の装置ロック回路６２1と、第１の停電検出回路６３1と、第１のインバータ回路６４1と、第１の論理積回路６５1と、第１の零アンペア制御回路６６1と、第１の休止端条件検出回路６７1と、第１の論理和回路６８1と、第１の情報送信回路６９1と、第１の情報受信回路７０1とを備える。
【００３４】
第１の装置不良検出回路６１1は、第１の送電線保護継電装置の不良を検出すると第１の装置不良検出信号を出力する。
第１の停電検出回路６３1は、第１の母線側断路器１1の状態（入状態または切状態）を示す第１の母線側断路器接点信号ＳBLS1と甲母線に設置された第５の計器用変成器５5から入力される第１の母線電圧信号ＶPD1（甲母線の母線電圧を示す。）とに基づいて表６に示した停電検出条件が満たされるか否かを判定し、停電検出条件が満たされると判定した場合にはハイレベルの出力信号を出力する。
第１のインバータ回路６４1は、第１の停電検出回路６３1の出力信号の極性を反転する。
第１の論理積回路６５1は、第１の外部装置不良検出信号ＳD1と第１のインバータ回路６４1の出力信号との論理積をとる。
第１の休止端条件検出回路６７1は、第１の遮断器３1の状態（入状態または切状態）を示す第１の遮断器接点信号ＳCB1と第１の回線側断路器２1の状態（入状態または切状態）を示す第１の回線側断路器接点信号ＳLLS1とに基づいて表９に示した休止端条件を検出するとハイレベルの出力信号を出力する。
第１の論理和回路６８1は、第１の停電検出回路６３1の出力信号と第１の休止端条件検出回路６７1の出力信号との論理和をとる。
第１の情報送信回路６９1は、第１の論理和回路６８1からハイレベルの出力信号が入力されると、休止端条件を検出した旨を示す情報を作成して、作成した情報を表わす第１の自端情報信号ＳLP1を第１の対向端送電線保護継電装置に送信する。
第１の情報受信回路７０1は、第１の対向端送電線保護継電装置から第１の対向端情報信号ＳLP1’（第１の対向端送電線保護継電装置において休止端条件を検出した旨を示す情報を表わす。）を受信するとハイレベルの出力信号を出力する。
第１の装置ロック回路６２1は、第１の装置不良検出回路６１1から第１の装置不良検出信号が入力されるか、第１の論理積回路６５1からハイレベルの出力信号が入力されるか、第１の情報受信回路７０1からハイレベルの出力信号が入力されると、第１の送電線保護継電装置に対する装置ロック処理を行う。
第１の零アンペア制御回路６６1は、第１の停電検出回路６３1からハイレベルの出力信号が入力されるか、第１の情報受信回路７０1からハイレベルの出力信号が入力されると、零アンペア制御処理を行う。
【００３５】
本実施例による第２乃至第４の送電線保護継電装置は、上述した第１の装置監視回路６０1と同様の構成を有する第２乃至第４の装置監視回路６０2〜６０4（不図示）をそれぞれ備える。
【実施例３】
【００３６】
次に、本発明の第３の実施例による保護継電装置について、図４乃至図６を参照して説明する。
本実施例による保護継電装置である第１乃至第４の送電線保護継電装置１１０1〜１１０4は、図４に示すように、２重母線の電力系統において使用される。
【００３７】
ここで、第１乃至第４の送電線保護継電装置１１０1〜１１０4は、甲母線側に設置された第１乃至第４の甲母線側断路器１1a〜１4aが切状態でありかつ乙母線側に設置された第１乃至第４の乙母線側断路器１1b〜１4bが切状態である（パターン１）か甲母線の電圧（以下、「甲母線電圧」と称する。）および乙母線の電圧（以下、「乙母線電圧」と称する。）が両方とも閾値（たとえば、２０ボルト）以下である（パターン２）か第１乃至第４の乙母線側断路器１1b〜１4bが切状態でありかつ甲母線電圧が閾値以下である（パターン３）か第１乃至第４の甲母線側断路器１1a〜１4aが切状態でありかつ乙母線電圧が閾値以下である（パターン４）と第１乃至第４の回線１Ｌ〜４Ｌが停電であると判定して零アンペア制御処理を行う（自端判定方式）。
【００３８】
すなわち、第１の回線１Ｌに設置された第１の送電線保護継電装置１１０1は、表１０に示す停電検出条件に基づいて第１の回線１Ｌの停電を検出すると零アンペア制御処理を行う。
【表１０】
2008161009.tif 000012
【００３９】
第２の回線２Ｌに設置された第２の送電線保護継電装置１１０2は、表１１に示す停電検出条件に基づいて第２の回線２Ｌの停電を検出すると零アンペア制御処理を行う。
【表１１】
2008161009.tif 000013
【００４０】
第３の回線３Ｌに設置された第３の送電線保護継電装置１１０3は、表１２に示す停電検出条件に基づいて第３の回線３Ｌの停電を検出すると零アンペア制御処理を行う。
【表１２】
2008161009.tif 000014
【００４１】
第４の回線４Ｌに設置された第４の送電線保護継電装置１１０4は、表１３に示す停電検出条件に基づいて第４の回線４Ｌの停電を検出すると零アンペア制御処理を行う。
【表１３】
2008161009.tif 000015
【００４２】
また、第１乃至第４の送電線保護継電装置１１０1〜１１０4は、第１乃至第４の回線１Ｌ〜４Ｌの停電を検出すると外部から入力される第１乃至第４の外部装置不良検出信号ＳD1〜ＳD4に基づく装置ロック処理を禁止させる。
【００４３】
そのため、第１の送電線保護継電装置１１０1は、図５に示す第１の装置監視回路１５０1を具備する。
第１の装置監視回路１５０1は、図５に示すように、第１の装置不良検出回路１５１1と、第１の装置ロック回路１５２1と、第１の停電検出回路１５３1と、第１のインバータ回路１５４1と、第１の論理積回路１５５1と、第１の零アンペア制御回路１５６1とを備える。
【００４４】
第１の装置監視回路１５０1は、第１の停電検出回路１５３1が第１の甲母線側断路器１1aの状態（入状態または切状態）を示す第１の甲母線側断路器接点信号ＳBLS1aと甲母線に設置された甲母線計器用変成器５aから入力される甲母線電圧信号ＶPDa（甲母線の母線電圧を示す。）と第１の乙母線側断路器１1bの状態（入状態または切状態）を示す第１の乙母線側断路器接点信号ＳBLS1bと乙母線に設置された乙母線計器用変成器５bから入力される乙母線電圧信号ＶPDb（乙母線の母線電圧を示す。）とに基づいて表１０に示した停電検出条件が満たされるか否かを判定し、停電検出条件が満たされると判定した場合にはハイレベルの出力信号を出力する点で、図２に示した第１の装置監視回路５０1と相違する。
【００４５】
第２乃至第４の送電線保護継電装置１１０2〜１１０4は、上述した第１の装置監視回路１５０1と同様の構成を有する第２乃至第４の装置監視回路１５０2〜１５０4（不図示）をそれぞれ備える。
【００４６】
これにより、たとえば図６に示すように第４の回線４Ｌに設置された第４の乙母線側断路器１4b、第４の遮断器３4および第４の回線側断路器２4を同時に点検する場合に第４の乙母線側断路器１4b、第４の遮断器３4、第４の回線側断路器２4および乙母線に設置された乙母線断路器１bが入状態となって第１および第２の乙アース６1，６2を介して隣回線からの電磁誘導による循環電流ＩCが流れても、第４の甲母線側断路器１4aは切状態となっておりかつ乙母線計器用変成器５bから入力される乙母線電圧信号ＶPDbは乙母線電圧が閾値以下であることを示すため、第４の送電線保護継電装置１１０3が具備する第４の装置監視回路１５０4の第４の停電検出回路１５３4（図５参照）は表１３に示したパターン４が成立すると判定してハイレベルの出力信号を出力する。その結果、第４の零アンペア制御回路１５６4は零アンペア制御処理を行う。
【００４７】
また、たとえば第３の回線３Ｌに設置された第３の遮断器３3を点検する場合に第３の遮断器３3が入状態となって第１および第２の乙アース６1，６2を介して隣回線からの電磁誘導による循環電流ＩCが流れても、第３の甲母線側断路器１3aおよび第３の乙母線側断路器１3bは共に切状態であるため、第３の送電線保護継電装置１１０3が具備する第３の装置監視回路１５０3の第３の停電検出回路１５３3（図２参照）は表１２に示したパターン１が成立すると判定してハイレベルの出力信号を出力する。その結果、第３の零アンペア制御回路１５６3は零アンペア制御処理を行う。
【００４８】
なお、母線保護継電装置１２０にも図５に示した第１の装置監視回路１５０1と同様の構成を有する装置監視回路を具備させてもよい。
【実施例４】
【００４９】
次に、本発明の第４の実施例による保護継電装置について、図７を参照して説明する。
本発明の第４の実施例による保護継電装置である第１乃至第４の送電線保護継電装置（不図示）は、上述した第３の実施例による第１乃至第４の送電線保護継電装置１１０1〜１１０4と同様に、２重母線の電力系統において使用される。
【００５０】
ここで、本実施例による第１乃至第４の送電線保護継電装置は、以下に示す点を特徴とする。
（１）第１乃至第４の甲母線側断路器１1a〜１4aが切状態でありかつ第１乃至第４の乙母線側断路器１1b〜１4bが切状態である（パターン３）か甲母線電圧および乙母線電圧が両方とも閾値（たとえば、２０ボルト）以下である（パターン４）か第１乃至第４の乙母線側断路器１1b〜１4bが切状態でありかつ甲母線電圧が閾値以下である（パターン５）か第１乃至第４の甲母線側断路器１1a〜１4aが切状態でありかつ乙母線電圧が閾値以下である（パターン６）と第１乃至第４の回線１Ｌ〜４Ｌが停電であると判定して零アンペア制御処理を行う。
（２）第１乃至第４の遮断器３1〜３4が切状態である（パターン１）か第１乃至第４の回線側断路器２1〜２4が切状態である（パターン２）という休止端条件を検出した場合のほかに上記のパターン３からパターン６の休止端条件を検出した場合にも、第１乃至第４の回線１Ｌ〜４Ｌの対向端子にそれぞれ設置された第１乃至第４の対向端送電線保護継電装置（不図示）にその情報を送信する（Ｃｒ方式）。
【００５１】
すなわち、第１の回線１Ｌに設置された第１の送電線保護継電装置は、表１４に示す停電検出条件に基づいて第１の回線１Ｌの停電を検出すると零アンペア制御処理を行うとともに、表１４に示す休止端条件を検出すると第１の対向端送電線保護継電装置にその情報を送信する。
【表１４】
2008161009.tif 000016
【００５２】
第２の送電線保護継電装置は、表１５に示す停電検出条件に基づいて第２の回線２Ｌの停電を検出すると零アンペア制御処理を行うとともに、表１５に示す休止端条件を検出すると第２の対向端送電線保護継電装置にその情報を送信する。
【表１５】
2008161009.tif 000017
【００５３】
第３の送電線保護継電装置は、表１６に示す停電検出条件に基づいて第３の回線３Ｌの停電を検出すると零アンペア制御処理を行うとともに、表１６に示す休止端条件を検出すると第３の対向端送電線保護継電装置にその情報を送信する。
【表１６】
2008161009.tif 000018
【００５４】
第４の送電線保護継電装置は、表１７に示す停電検出条件に基づいて第４の回線４Ｌの停電を検出すると零アンペア制御処理を行うとともに、表１７に示す休止端条件を検出すると第４の対向端送電線保護継電装置にその情報を送信する。
【表１７】
2008161009.tif 000019
【００５５】
そのため、本実施例による第１の送電線保護継電装置は、図７に示す第１の装置監視回路１６０1を具備する。
第１の装置監視回路１６０1は、図７に示すように、第１の装置不良検出回路１６１1と、第１の装置ロック回路１６２1と、第１の停電検出回路１６３1と、第１のインバータ回路１６４1と、第１の論理積回路１６５1と、第１の零アンペア制御回路１６６1と、第１の休止端条件検出回路１６７1と、第１の論理和回路１６８1と、第１の情報送信回路１６９1と、第１の情報受信回路１７０1とを備える。
【００５６】
第１の装置監視回路１６０1は、第１の停電検出回路１６３1が第１の甲母線側断路器１1aの状態（入状態または切状態）を示す第１の甲母線側断路器接点信号ＳBLS1aと甲母線計器用変成器５aから入力される甲母線電圧信号ＶPDa（甲母線の母線電圧を示す。）と第１の乙母線側断路器１1bの状態（入状態または切状態）を示す第１の乙母線側断路器接点信号ＳBLS1bと乙母線計器用変成器５bから入力される乙母線電圧信号ＶPDb（乙母線の母線電圧を示す。）とに基づいて表１４に示した停電検出条件が満たされるか否かを判定し、停電検出条件が満たされると判定した場合にはハイレベルの出力信号を出力する点で。図３に示した第１の装置監視回路６０1と相違する。
【００５７】
本実施例による第２乃至第４の送電線保護継電装置は、上述した第１の装置監視回路１６０1と同様の構成を有する第２乃至第４の装置監視回路１６０2〜１６０4（不図示）をそれぞれ備える。
【００５８】
本発明の保護継電装置では、第１乃至第４の回線側断路器２1〜２4の切状態を停電検出条件にしていないので（表２から表１７参照）、たとえば図８に示すように第３の遮断器３3を入状態として第３の回線３Ｌの第３の遮断器３3と第３の回線側断路器２3との間の試充電を行う際に第３の送電線保護継電装置１０3を使用することができるという効果もある。
【図面の簡単な説明】
【００５９】
【図１】本発明の第１の実施例による保護継電装置である第１乃至第４の送電線保護継電装置１０1〜１０4および母線保護継電装置２０について説明するための図である。
【図２】図１に示した第１の送電線保護継電装置１０1が具備する第１の装置監視回路５０1の構成を示すブロック図である。
【図３】本発明の第２の実施例による保護継電装置である第１の送電線保護継電装置が具備する第１の装置監視回路６０1の構成を示すブロック図である。
【図４】本発明の第３の実施例による保護継電装置である第１乃至第４の送電線保護継電装置１１０1〜１１０4および母線保護継電装置１２０について説明するための図である。
【図５】図４に示した第１の送電線保護継電装置１１０1が具備する第１の装置監視回路１５０1の構成を示すブロック図である。
【図６】本発明の第２の実施例による保護継電装置の効果を説明するための図である。
【図７】本発明の第４の実施例による保護継電装置である第１の送電線保護継電装置が具備する第１の装置監視回路１６０1の構成を示すブロック図である。
【図８】第１乃至第４の回線側断路器の切状態を停電検出条件にしない場合の効果について説明するための図である。
【図９】従来の保護継電装置の監視機能について説明するための図である。
【図１０】従来の保護継電装置の監視機能の問題点を説明するための図である。
【符号の説明】
【００６０】
１1〜１4  第１乃至第４の母線側断路器
１1a〜１4a  第１乃至第４の甲母線側断路器
１1b〜１4b  第１乃至第４の乙母線側断路器
１a  甲母線断路器
１b  乙母線断路器
２1〜２4  第１乃至第４の回線側断路器
３1〜３5  第１乃至第５の遮断器
３  母線遮断器
４1〜４10  第１乃至第１０の計器用変流器
４a  甲母線計器用変流器
４b  乙母線計器用変流器
５1〜５6  第１乃至第６の計器用変成器
５a  甲母線計器用変成器
５b  乙母線計器用変成器
６1，６2  第１および第２の乙アース
１０1〜１０4，１１０1〜１１０4，２１０1〜２１０4  第１乃至第４の送電線保護継電装置
２０，１２０，２２０  母線保護継電装置
５０1〜５０4，６０1〜６０4，１５０1〜１５０4，１６０1〜１６０4  第１乃至第４の装置監視回路
５１1〜５１4，６１1〜６１4，１５１1〜１５１4，１６１1〜１６１4  第１乃至第４の装置不良検出回路
５２1〜５２4，６２1〜６２4，１５２1〜１５２4，１６２1〜１６２4  第１乃至第４の装置ロック回路
５３1〜５３4，６３1〜６３4，１５３1〜１５３4，１６３1〜１６３4  第１乃至第４の停電検出回路
５４1〜５４4，６４1〜６４4，１５４1〜１５４4，１６４1〜１６４4  第１乃至第４のインバータ回路
５５1〜５５4，６５1〜６５4，１５５1〜１５５4，１６５1〜１６５4  第１乃至第４の論理積回路
５６1〜５６4，６６1〜６６4，１５６1〜１５６4，１６６1〜１６６4  第１乃至第４の零アンペア制御回路
６７1〜６７4，１６７1〜１６７4  第１乃至第４の休止端条件検出回路
６８1〜６８4，１６８1〜１６８4    第１乃至第４の論理和回路
６９1〜６９4，１６９1〜１６９4  第１乃至第４の情報送信回路
７０1〜７０4，１７０1〜１７０4  第１乃至第４の情報受信回路
１Ｌ〜４Ｌ  第１乃至第４の回線
ＳD1〜ＳD4  第１乃至第４の外部装置不良検出信号
ＳBLS1〜ＳBLS4  第１乃至第４の母線側断路器接点信号
ＳBLS1a〜ＳBLS4a  第１乃至第４の甲母線側断路器接点信号
ＳBLS1b〜ＳBLS4b  第１乃至第４の乙母線側断路器接点信号
ＳLLS1〜ＳLLS4  第１乃至第４の回線側断路器接点信号
ＳCB1〜ＳCB4  第１乃至第４の遮断器接点信号
ＳLP1〜ＳLP4  第１乃至第４の自端情報信号
ＳLP1’〜ＳLP4’  第１乃至第４の対向端情報信号
ＶPD1，ＶPD2  第１および第２の母線電圧信号
ＶPDa  甲母線電圧信号
ＶPDb  乙母線電圧信号
【図１】
2008161009.tif 000020
【図２】
2008161009.tif 000021
【図３】
2008161009.tif 000022
【図４】
2008161009.tif 000023
【図５】
2008161009.tif 000024
【図６】
2008161009.tif 000025
【図７】
2008161009.tif 000026
【図８】
2008161009.tif 000027
【図９】
2008161009.tif 000028
【図１０】
2008161009.tif 000029